(57)【要約】【課題】二次電池をそれぞれ備える複数の電子機器の間で、それらの残り駆動時間が適切に調節されるように、電力を融通する。【解決手段】二次電池２０を備える電子機器２は、二次電池２０の電池残量に関する情報と、電子機器２の消費電力の履歴とを取得して、残り駆動時間Ｔ１を算出する。また、電子機器２は、二次電池３０を備える電子機器３から二次電池３０の電池残量に関する情報と電子機器３の消費電力の履歴とを取得して、残り駆動時間Ｔ２を算出する。電子機器２は、残り駆動時間Ｔ１と残り駆動時間Ｔ２とに基づいて、電子機器２と電子機器３との間で電力の送受電を行う。【選択図】図１
2014003835.tif 000002
【特許請求の範囲】
【請求項１】
第１の二次電池を備える電子機器であって、
前記第１の二次電池の電池残量に関する情報と、前記電子機器の消費電力に関する情報とを取得する第１情報取得手段と、
第２の二次電池を備える外部機器から前記第２の二次電池の電池残量に関する情報と前記外部機器の消費電力に関する情報とを取得する第２情報取得手段と、
前記第１の二次電池の電池残量と、前記電子機器が消費する電力に関する情報とに基づいて、前記電子機器を駆動できる第１残り駆動時間を算出する第１時間算出手段と、
前記第２の二次電池の電池残量と、前記外部機器が消費する電力に関する情報とに基づいて、前記外部機器を駆動できる第２残り駆動時間を算出する第２時間算出手段と、
前記第１時間算出手段により算出された前記第１残り駆動時間と前記第２時間算出手段により算出された前記第２残り駆動時間とに基づいて、前記外部機器との間で電力の送受電を行う電力融通手段と、
を備えることを特徴とする電子機器。
【請求項２】
請求項１に記載の電子機器において、
前記電力融通手段は、前記第１残り駆動時間と前記第２残り駆動時間とが一致するように、前記外部機器との間で電力の送受電を行うことを特徴とする電子機器。
【請求項３】
請求項１または２に記載の電子機器において、
前記電力融通手段は、前記第１の二次電池または前記第２の二次電池の充電回数が所定回数以上のとき、前記外部機器との間で電力の送受電を行わないことを特徴とする電子機器。
【請求項４】
第１の二次電池を備える第１の電子機器と、
前記第１の電子機器と組み合わせて用いられ、第２の二次電池を備える第２の電子機器と、を備える電力制御システムであって、
前記第１の二次電池の電池残量に関する情報と、前記第１の電子機器の消費電力に関する情報とを取得する第１情報取得手段と、
前記第２の二次電池の電池残量に関する情報と、前記第２の電子機器の消費電力に関する情報とを取得する第２情報取得手段と、
前記第１の二次電池の電池残量と、前記第１の電子機器が消費する電力に関する情報とに基づいて、前記第１の電子機器を駆動できる第１残り駆動時間を算出する第１時間算出手段と、
前記第２の二次電池の電池残量と、前記第２の電子機器が消費する電力に関する情報とに基づいて、前記第２の電子機器を駆動できる第２残り駆動時間を算出する第２時間算出手段と、
前記第１時間算出手段により算出された前記第１残り駆動時間と前記第２時間算出手段により算出された前記第２残り駆動時間とに基づいて、前記第１の電子機器と前記第２の電子機器との間で電力の送受電を行う電力融通手段と、
を備えることを特徴とする電力制御システム。
【請求項５】
請求項４に記載の電力制御システムにおいて、
前記電力融通手段は、前記第１残り駆動時間と前記第２残り駆動時間とが一致するように、前記第１の電子機器と前記第２の電子機器との間で電力の送受電を行うことを特徴とする電力制御システム。
【請求項６】
請求項４または５に記載の電力制御システムにおいて、
前記電力融通手段は、前記第１の二次電池または前記第２の二次電池の充電回数が所定回数以上のとき、前記第１の電子機器と前記第２の電子機器との間で電力の送受電を行わないことを特徴とする電力制御システム。
【請求項７】
第１の二次電池を備える第１の電子機器と、
前記第１の電子機器と組み合わせて用いられ、第２の二次電池を備える第２の電子機器と、を載置可能な電力制御装置であって、
前記第１の二次電池の電池残量に関する情報と、前記第１の電子機器の消費電力に関する情報とを取得する第１情報取得手段と、
前記第２の二次電池の電池残量に関する情報と、前記第２の電子機器の消費電力に関する情報とを取得する第２情報取得手段と、
前記第１の二次電池の電池残量と、前記第１の電子機器が消費する電力に関する情報とに基づいて、前記第１の電子機器を駆動できる第１残り駆動時間を算出する第１時間算出手段と、
前記第２の二次電池の電池残量と、前記第２の電子機器が消費する電力に関する情報とに基づいて、前記第２の電子機器を駆動できる第２残り駆動時間を算出する第２時間算出手段と、
前記第１情報取得手段が取得した前記第１の二次電池の電池残量に関する情報と、前記第２情報取得手段が取得した前記第２の二次電池の電池残量に関する情報とに基づいて、前記第１の電子機器と前記第２の電子機器との間で電力を送受電させて、前記第１および第２の電子機器の電池残量を制御する電力制御手段と、
を備えることを特徴とする電力制御装置。
【請求項８】
請求項７に記載の電力制御装置において、
前記電力制御手段は、前記第１残り駆動時間と前記第２残り駆動時間とが一致するように、前記第１および第２の電子機器の電池残量を制御することを特徴とする電力制御装置。
【請求項９】
請求項７または８に記載の電力制御装置において、
前記電力制御手段は、前記第１の二次電池または前記第２の二次電池の充電回数が所定回数以上のとき、前記第１の電子機器と前記第２の電子機器との間で電力の送受電させないことを特徴とする電力制御装置。
【発明の詳細な説明】
【技術分野】
【０００１】
本発明は二次電池を備える電子機器と、それぞれが二次電池を備える複数の電子機器を備える電力制御システムと、それぞれが二次電池を備える複数の電子機器を制御する電力制御装置とに関する。
【背景技術】
【０００２】
二次電池を備える複数の電子機器が互いの二次電池を充電する電子機器システムが知られている（例えば、特許文献１）。
近年、二次電池を用いて可搬性を高めたデジタルカメラ、オーディオ機器などの電子機器と組み合わせて使用されるワイアレスのリモコン装置、ヘッドセットなどが普及しつつある。これらのワイアレスのリモコン装置、ヘッドセットなどの電子機器も、二次電池を備えている。
【先行技術文献】
【特許文献】
【０００３】
【特許文献１】国際公開第２００７／０７４７７１号公報
【発明の概要】
【発明が解決しようとする課題】
【０００４】
二次電池を備える第１の電子機器と、別の二次電池を備える第２の電子機器とを組み合わせて利用する際、第１の電子機器または第２の電子機器のいずれの二次電池の電池残量が不足しても利用できなくなる。本発明は、このような問題を鑑みて、組み合わせて利用される複数の電子機器の間で、それらの残り駆動時間（残り動作時間、使用可能時間）が適切に調節されるように、複数の電子機器間で電力を融通することを目的とする。
【課題を解決するための手段】
【０００５】
本発明による電子機器は、第１の二次電池を備える電子機器であって、第１の二次電池の電池残量に関する情報と、電子機器の消費電力に関する情報とを取得する第１情報取得手段と、第２の二次電池を備える外部機器から第２の二次電池の電池残量に関する情報と外部機器の消費電力に関する情報とを取得する第２情報取得手段と、第１の二次電池の電池残量と、電子機器が消費する電力に関する情報とに基づいて、電子機器を駆動できる第１残り駆動時間を算出する第１時間算出手段と、第２の二次電池の電池残量と、外部機器が消費する電力に関する情報とに基づいて、外部機器を駆動できる第２残り駆動時間を算出する第２時間算出手段と、第１時間算出手段により算出された第１残り駆動時間と第２時間算出手段により算出された第２残り駆動時間とに基づいて、外部機器との間で電力の送受電を行う電力融通手段と、を備えることを特徴とする。
【発明の効果】
【０００６】
本発明によれば、二次電池をそれぞれ備える複数の電子機器の間で、それらの残り駆動時間が適切に調節されるように、電力を融通することができる。
【図面の簡単な説明】
【０００７】
【図１】本発明の一実施の形態による電力制御システムに関するブロック図である。
【図２】本発明の一実施の形態による電力制御システムにおける複数の電子機器間の電力の融通方法例を示す図である。
【図３】本発明の一実施の形態による電力制御システムにおける複数の電子機器間の通信方法例を示す図である。
【図４】本発明の第１の実施の形態による第１の電子機器に関するブロック図である。
【図５】本発明の第１の実施の形態による第２の電子機器に関するブロック図である。
【図６】本発明の第１の実施の形態による電力制御システムにおいて実行される電力融通処理に関するフローチャートの一つである。
【図７】本発明の第１の実施の形態による電力制御システムにおいて、電力融通処理中に表示される表示画面を例示する図である。
【図８】本発明の第１の実施の形態による電力制御システムにおいて実行される電力融通処理に関するフローチャートの一つである。
【図９】本発明の第１の実施の形態による電力制御システムにおいて実行される電力融通処理に関するフローチャートの一つである。
【図１０】本発明の第１の実施の形態による電力制御システムにおいて実行される電力融通処理に関するフローチャートの一つである。
【図１１】本発明の一実施の形態による電力制御装置に関するブロック図である。
【図１２】本発明の第２の実施の形態による電力制御システムにおいて実行される電力融通処理に関するフローチャートの一つである。
【図１３】本発明の第２の実施の形態による電力制御システムにおいて実行される電力融通処理に関するフローチャートの一つである。
【図１４】本発明の第２の実施の形態による電力制御システムにおいて実行される電力融通処理に関するフローチャートの一つである。
【図１５】本発明の第２の実施の形態による電力制御システムにおいて実行される電力融通処理に関するフローチャートの一つである。
【図１６】本発明の第２の実施の形態による電力制御システムにおいて実行される電力融通処理に関するフローチャートの一つである。
【図１７】本発明の第２の実施の形態による電力制御システムにおいて実行される電力融通処理に関するフローチャートの一つである。
【図１８】本発明の第２の実施の形態による電力制御システムにおいて実行される電力融通処理に関するフローチャートの一つである。
【図１９】本発明の第２の実施の形態による電力制御システムにおいて実行される電力融通処理に関するフローチャートの一つである。
【図２０】本発明の一実施の形態による電力制御システムに備えられるサーバのブロック構成図の一例である。
【発明を実施するための形態】
【０００８】
図１は、本発明の一実施の形態による電力制御システムのブロック図である。電力制御システム１は、二次電池２０を備える電子機器２と、二次電池３０を備える電子機器３とを備える。電子機器２および３は例えばデジタルカメラとそのリモートモニタ、デジタルカメラとそのリモートコントローラ、情報端末と無線接続型のヘッドセットなどであって、電子機器３は電子機器２と組み合わせて利用される。以降の説明では、電子機器２のことをカメラ２と記載し、電子機器３のことをリモートモニタ３と記載する。
【０００９】
二次電池２０および３０は、例えばリチウムイオン電池、ニッケル水素蓄電池などである。リモートモニタ３の二次電池３０の電池残量が残っていたとしても、カメラ２の二次電池２０の電池残量が残っていない場合、ユーザはリモートモニタ３を有効に利用することができない。逆も同様であって、カメラ２の二次電池２０の電池残量が残っていたとしても、リモートモニタ３の二次電池３０の電池残量が残っていない場合、ユーザはカメラ２を有効に利用することができない。
【００１０】
カメラ２とリモートモニタ３は、互いに電力を融通することができて、片側の二次電池の電池残量だけが無くなるという問題を解消することができる。例えば、カメラ２が二次電池２０の電池残量を用いて駆動する残り駆動時間と、リモートモニタ３が二次電池３０の残り駆動時間とが一致するように電力を融通して、片側の二次電池の電池残量だけが無くなるという問題を解消する。
【００１１】
カメラ２とリモートモニタ３との間の電力の融通方法には、図２（ａ）〜（ｃ）に例示される方法が存在する。図２（ａ）では、カメラ２とリモートモニタ３との間で直接電力を融通する。例えば、電磁誘導方式、電磁界共鳴方式、電波方式などの非接触充電（無接点充電）を用いて、カメラ２とリモートモニタ３との間で直接電力を融通する。また、例えば、カメラ２とリモートモニタ３との間をＵＳＢケーブルなどの接続ケーブルで接続して、その接続ケーブルを介してカメラ２とリモートモニタ３との間で直接電力を融通することにしてもよい。
【００１２】
図２（ｂ）では、カメラ２とリモートモニタ３との間は、電力制御装置４を介在させて、電力を融通する。カメラ２とリモートモニタ３とのうち送電側の電子機器は、電力制御装置４に向けて電力を送電する。受電側の電子機器は、送電側の電子機器が送電した電力を電力制御装置４から受電する。
【００１３】
また、カメラ２とリモートモニタ３は、種々の通信を用いて、互いに情報の送受信を行う。カメラ２とリモートモニタ３の間で実施される通信方法としては、図３（ａ）〜（ｃ）に例示される方法が存在する。カメラ２は、これらの通信を利用してリモートモニタ３にスルー画やメニュー画面などの画像を表示させることができる。
【００１４】
図３（ａ）では、カメラ２とリモートモニタ３がクロスケーブルやＵＳＢケーブルなどの接続ケーブルを用いた有線通信、またはＷｉ‐Ｆｉ（登録商標）やＢｌｕｅｔｏｏｔｈ（登録商標）などの近距離無線通信により直接通信を行う。
【００１５】
図３（ｂ）では、カメラ２とリモートモニタ３は、電力制御装置４を介在させて、情報の送受信を行う。カメラ２およびリモートモニタ３の各々と電力制御装置４とは、それぞれ有線通信または近距離無線通信により情報の送受信を行う。
【００１６】
図３（ｃ）では、カメラ２とリモートモニタ３は、サーバ５を介在させて情報の送受信を行う。カメラ２およびリモートモニタ３の各々は、それぞれ電気通信回線６を介してサーバ５と通信を行う。
【００１７】
電力制御システム１が実施する通信方法と電力の融通方法とは、図２（ａ）または（ｂ）に例示された電力の融通方法と、図３（ａ）、（ｂ）、または（ｃ）に例示された通信方法とを任意に組み合わせることができる。なお、図２（ａ）および（ｂ）に示した電力の融通方法および図３（ａ）〜（ｃ）に示した通信方法は、あくまで例に過ぎず他の電力の融通方法や通信方法を用いてもよい。
【００１８】
（第１の実施の形態）
本発明の第１の実施の形態として、図２（ａ）に例示された電力の融通方法と、図３（ａ）に例示された通信方法とを組み合わせて実施する電力制御システムについて説明する。第１の実施の形態では、カメラ２とリモートモニタ３の間における電力の融通方法は、電磁誘導方式の非接触充電である。また、カメラ２とリモートモニタ３の間における通信方法は、近距離無線通信である。
【００１９】
図４は、カメラ２のブロック構成図である。カメラ２は、二次電池２０と電磁誘導コイル２１と電源コントローラ２２とＣＰＵ２３と通信部２４とメモリ２５と報知部２６と操作部２７とを備える。電磁誘導コイル２１は、電磁誘導方式の非接触充電に用いられ、図２（ａ）に図示する電力の融通に用いられる。電源コントローラ２２は、二次電池２０の充電を制御する。また、電源コントローラ２２は、二次電池２０の電池残量に関する情報を、ＣＰＵ２３に出力する。ＣＰＵ２３は、カメラ２の各部を制御して、種々の処理を実行することができる。通信部２４は、近距離無線通信に用いられ、図３（ａ）に図示する通信に用いられる。報知部２６は、表示モニタやインジケータランプなどである。操作部２７は、カメラ２の操作に用いられる。
【００２０】
メモリ２５は、不揮発性の記憶媒体である。メモリ２５には、登録ＩＤデータベース２５１と電力消費履歴２５２とが記憶されている。登録ＩＤデータベース２５１は、カメラ２との間で電力融通を行う機器の機器ＩＤが記憶（登録）されている。カメラ２との間で電力融通を行う機器とは、例えばリモートモニタ３である。
【００２１】
電力消費履歴２５２は、カメラ２の消費電力に関する履歴情報であって、カメラ２の所定時間分（例えば、１時間分）の電力消費量が記憶されている。ＣＰＵ２３は、電力消費履歴２５２に記憶されている履歴情報を用いて、カメラ２の単位時間あたりの平均電力消費量を算出することができる。カメラ２の電力消費量はスピードライトを利用するか否かなどによって異なる。履歴情報を用いることにより、日時（昼夜）や季節による電力消費量の変化に対応することができる。ＣＰＵ２３は、二次電池２０の電池残量を平均電力消費量で除した値に基づいて、カメラ２の残り駆動時間を算出する。
【００２２】
図５は、リモートモニタ３のブロック構成図である。リモートモニタ３は、二次電池３０と電磁誘導コイル３１と電源コントローラ３２とＣＰＵ３３と通信部３４とメモリ３５とを備える。
【００２３】
電磁誘導コイル３１は、電磁誘導コイル２１と同様に、電磁誘導方式の非接触充電に用いられ、図２（ａ）に図示する電力の融通に用いられる。電源コントローラ３２は、二次電池３０の充電を制御する。また、電源コントローラ３２は、二次電池３０の電池残量に関する情報を、ＣＰＵ３３に出力する。ＣＰＵ３３は、リモートモニタ３の各部を制御して、種々の処理を実行する。通信部３４は、近距離無線通信に用いられ、図３（ａ）に図示する通信に用いられる。報知部３６は、表示モニタやインジケータランプなどである。
【００２４】
メモリ３５は、不揮発性の記憶媒体である。メモリ３５には、機器ＩＤ３５１と電力消費履歴３５２とが記憶されている。機器ＩＤ３５１は、リモートモニタ３を表す情報である。電力消費履歴３５２は、リモートモニタ３の消費電力に関する履歴情報であって、リモートモニタ３の所定時間分（例えば、１時間分）の電力消費量が記憶されている。
【００２５】
図６は、カメラ２とリモートモニタ３との間で電力融通を行うためのハンドシェイク処理に関するフローチャートである。図６の処理は、カメラ２の二次電池２０の電池残量が所定量以下になったときや、カメラ２が電力の融通を行うモードとなっているときなどにカメラ２のＣＰＵ２３とリモートモニタ３のＣＰＵ３３とによって実行される。
【００２６】
ステップＳ２００では、リモートモニタ３のＣＰＵ３３は、通信部３４を介して準備信号を受信したか否かを判定している。準備信号とは、複数の電子機器がハンドシェイクを開始するための信号である。ＣＰＵ３３は、ステップＳ２００が否定判定されている間、ステップＳ２００の判定を繰り返す。
ステップＳ１００では、カメラ２のＣＰＵ２３は、通信部２４を介して、カメラ２から所定距離（非接触充電による充電を行うことができる距離であって、例えば５０ｃｍ）の範囲内で受信可能な信号強度を有する準備信号を、カメラ２の周囲に送信する。リモートモニタ３がカメラ２から所定距離の範囲内に配置されていた場合、リモートモニタ３のＣＰＵ３３は通信部３４を介してこの準備信号を受信して、ステップＳ２００を肯定判定して、ステップＳ２０１へ処理を進める。
【００２７】
ステップＳ１０１では、カメラ２のＣＰＵ２３は、通信部２４を介して準備信号に対する応答信号を受信したか否かを判定している。ＣＰＵ２３は、ステップＳ１０１が否定判定された場合、処理をステップＳ１００に進める。
ステップＳ２０１では、リモートモニタ３のＣＰＵ３３は、通信部３４を介して応答信号をカメラ２へ送信する。カメラ２のＣＰＵ２３は、通信部２４を介してこの応答信号を受信して、ステップＳ１０１を肯定判定して、ステップＳ１０２へ処理を進める。
【００２８】
ステップＳ１０２では、カメラ２のＣＰＵ２３は、リモートモニタ３との間で近距離無線通信を開始する。一方、ステップＳ２０２では、リモートモニタ３のＣＰＵ３３は、カメラ２との間で近距離無線通信を開始する。これにより、カメラ２とリモートモニタ３との通信が確立される。
【００２９】
ステップＳ２０３では、リモートモニタ３のＣＰＵ３３は、通信部３４を介して、メモリ３５に記憶されている機器ＩＤをカメラ２へ送信する。ステップＳ１０３では、カメラ２のＣＰＵ２３は、通信部２４を介して、その機器ＩＤを受信する。
【００３０】
ステップＳ１０４では、カメラ２のＣＰＵ２３は、ステップＳ１０３で受信した機器ＩＤについて、承認するか否かを判定する。この判定は、カメラ２の二次電池２０の電池残量を盗電から保護する目的がある。例えば、カメラ２のＣＰＵ２３は、報知部２６の表示モニタに図７（ａ）のような画面を表示する。そして、ユーザが操作部２７を用いてその機器ＩＤについて承認した場合、ステップＳ１０４は肯定判定される。また、ステップＳ１０３で受信した機器ＩＤが登録ＩＤデータベース２５１に記憶されている場合も、ステップＳ１０４は肯定判定される。ステップＳ１０４が肯定判定された場合は、図６の処理をステップＳ１０５に進める。一方、ステップＳ１０４が否定判定された場合は、図１０のステップＳ１３０に処理を進める。
【００３１】
ステップＳ１０５では、カメラ２のＣＰＵ２３は、ステップＳ１０３で受信した機器ＩＤが登録ＩＤデータベース２５１に記憶されているか否かを判定する。ステップＳ１０５が否定判定された場合はステップＳ１０６に進み、ステップＳ１０５が肯定判定された場合は図８のステップＳ１１０の処理に進む。
【００３２】
ステップＳ１０６では、カメラ２のＣＰＵ２３は、ステップＳ１０３で受信した機器ＩＤを、メモリ２５の登録ＩＤデータベース２５１に記憶（登録）して、図８のステップＳ１１０の処理に進む。
ステップＳ２０４では、リモートモニタ３のＣＰＵ３３は、準備信号を送信した電子機器（ここでは、カメラ２）と通信することをメモリ３５に記憶して、図８のステップＳ２１０の処理に進む。
【００３３】
図８のステップＳ１１０では、カメラ２のＣＰＵ２３は、カメラ２の二次電池２０の電池残量と電力消費履歴２５２とを取得する。一方、ステップＳ２１０では、リモートモニタ３のＣＰＵ３３は、リモートモニタ３の二次電池３０の電池残量と電力消費履歴３５２とを取得する。
【００３４】
ステップＳ２１１では、リモートモニタ３のＣＰＵ３３は、ステップＳ２１０で取得したリモートモニタ３の二次電池３０の電池残量と電力消費履歴３５２とを、カメラ２へ送信する。
ステップＳ１１１では、カメラ２のＣＰＵ２３は、ステップＳ２１１でリモートモニタ３が送信したリモートモニタ３の二次電池３０の電池残量と電力消費履歴３５２とを受信する。
【００３５】
ステップＳ１１２では、カメラ２のＣＰＵ２３は、ステップＳ１１０で取得したカメラ２の二次電池２０の電池残量と電力消費履歴２５２とに基づいて、カメラ２の残り駆動時間Ｔ１を算出する。例えば、カメラ２のＣＰＵ２３は、電力消費履歴２５２に記憶されている履歴から、カメラ２が単位時間（例えば、１時間）あたりに消費する電力を算出する。これは、直前１時間に消費した電力に基づいて算出してもよいし、電力消費履歴２５２に記憶されている全履歴を用いて消費電力の平均値を算出することにしてもよい。次に、ステップＳ１１０で取得したカメラ２の二次電池２０の電池残量を、上で算出したカメラ２が単位時間（例えば、１時間）あたりに消費する電力で除することにより、カメラ２の残り駆動時間Ｔ１を算出する。
【００３６】
ステップＳ１１３では、カメラ２のＣＰＵ２３は、ステップＳ１１１で取得したリモートモニタ３の二次電池３０の電池残量と電力消費履歴３５２とに基づいて、リモートモニタ３の残り駆動時間Ｔ２を算出する。残り駆動時間Ｔ２の算出方法は、残り駆動時間Ｔ１の算出方法と同様である。
【００３７】
ステップＳ１１４では、カメラ２のＣＰＵ２３は、ステップＳ１１２で算出した残り駆動時間Ｔ１とステップＳ１１３で算出した残り駆動時間Ｔ２との大小関係に基づいて、カメラ２とリモートモニタ３のどちらからどちらへ電力を融通するかを決定する。すなわち、カメラ２とリモートモニタ３のどちらが相手側の二次電池を充電するかを決定する。例えば、残り駆動時間Ｔ１が残り駆動時間Ｔ２よりも大きい場合（Ｔ１＞Ｔ２）、カメラ２のＣＰＵ２３は、カメラ２がリモートモニタ３の二次電池３０を充電することに決定する。一方、残り駆動時間Ｔ１が残り駆動時間Ｔ２よりも小さい場合（Ｔ２＜Ｔ１）、カメラ２のＣＰＵ２３は、リモートモニタ３がカメラ２の二次電池２０を充電することに決定する。ステップＳ１１４で決定されるカメラ２とリモートモニタ３との間の充電／被充電の関係に関する情報のことを、融通方向情報と称する。なお、残り駆動時間Ｔ１と残り駆動時間Ｔ２とが実質的に等しい場合、いずれの二次電池の充電も行わないこととする。なお、残り駆動時間Ｔ１と残り駆動時間Ｔ２とが実質的に等しいとは、残り駆動時間Ｔ１と残り駆動時間Ｔ２との差の絶対値｜Ｔ１−Ｔ２｜が所定位置以下であることをいう。
【００３８】
ステップＳ１１５では、カメラ２のＣＰＵ２３は、リモートモニタ３が非接触充電により充電可能な位置にあるか否かを判定する。例えば、カメラ２のＣＰＵ２３は、カメラ２から所定距離（例えば、５０ｃｍ）の範囲内で受信可能な信号強度を有する信号を、カメラ２の周囲に送信する。そして、カメラ２のＣＰＵ２３は、所定の応答信号を受信できなかったときステップＳ１１５を否定判定しステップＳ１１５の判定を繰り返し、リモートモニタ３から所定の応答信号があったときステップＳ１１５を肯定判定して図９のステップＳ１２０の処理に進む。
【００３９】
図９のステップＳ１２０では、カメラ２のＣＰＵ２３は、ステップＳ１１４で決定した融通方向情報を、リモートモニタ３へ送信する。ステップＳ２２０では、リモートモニタ３のＣＰＵ３３は、ステップＳ１２０で送信された融通方向情報を受信する。
【００４０】
ステップＳ１２１では、カメラ２のＣＰＵ２３は、融通方向情報に基づいて、電力の融通を開始する。ステップＳ２２１では、リモートモニタ３のＣＰＵ３３は、融通方向情報に基づいて、電力の融通を開始する。
【００４１】
ステップＳ１２２では、カメラ２のＣＰＵ２３は、融通方向情報に基づいて、報知部２６を制御する。一方、ステップＳ２２２では、リモートモニタ３のＣＰＵ３３は、融通方向情報に基づいて、報知部３６を制御する。例えば、報知部２６のインジケータランプを点灯させたり、報知部２６の表示モニタに融通方向に関する情報を表示する。例えば、図７（ｂ）のように融通方向を明示したメッセージを報知部２６の表示モニタに表示させたりする。なお、図７（ｂ）のように、電力の融通方向だけでなく、残り駆動時間Ｔ１およびＴ２を表示することにしてもよい。
【００４２】
ステップＳ１２３では、カメラ２のＣＰＵ２３は、カメラ２の二次電池２０の電池残量と電力消費履歴２５２とを取得する。一方、ステップＳ２２３では、リモートモニタ３のＣＰＵ３３は、リモートモニタ３の二次電池３０の電池残量と電力消費履歴３５２とを取得する。
ステップＳ２２４では、リモートモニタ３のＣＰＵ３３は、ステップＳ２２３で取得したリモートモニタ３の二次電池３０の電池残量と電力消費履歴３５２とを、カメラ２へ送信する。ステップＳ１２４では、カメラ２のＣＰＵ２３は、ステップＳ２２４でリモートモニタ３が送信したリモートモニタ３の二次電池３０の電池残量と電力消費履歴３５２とを受信する。
ステップＳ１２５では、カメラ２のＣＰＵ２３は、ステップＳ１２３で取得したカメラ２の二次電池２０の電池残量と電力消費履歴２５２とに基づいて、カメラ２の残り駆動時間Ｔ１を算出する。
ステップＳ１２６では、カメラ２のＣＰＵ２３は、ステップＳ１２４で取得したリモートモニタ３の二次電池３０の電池残量と電力消費履歴３５２とに基づいて、リモートモニタ３の残り駆動時間Ｔ２を算出する。
【００４３】
ステップＳ１２７では、カメラ２のＣＰＵ２３は、ステップＳ１２５で算出したカメラ２の残り駆動時間Ｔ１と、ステップＳ１２６で算出したリモートモニタ３の残り駆動時間Ｔ２とが一致したか否かを判定する。ステップＳ１２７が否定判定された場合はステップＳ１２３に進み、ステップＳ１２７が肯定判定された場合はステップＳ１２８に進む。
【００４４】
ステップＳ２２５では、リモートモニタ３のＣＰＵ３３は、カメラ２から電力融通処理を終了させるための終了信号が送信されたか否かを判定する。リモートモニタ３のＣＰＵ３３は、ステップＳ２２５が否定判定された場合、図９の処理をステップＳ２２３に進める。
ステップＳ１２８では、カメラ２のＣＰＵ２３は、リモートモニタ３に向けて終了信号を送信する。これにより、リモートモニタ３のＣＰＵ３３は、ステップＳ２２５を肯定判定して、処理を図１０のステップＳ２３０に処理を進める。ステップＳ１２８の後、カメラ２のＣＰＵ２３も、処理を図１０のステップＳ１３０に進める。
【００４５】
図１０のステップＳ１３０では、カメラ２のＣＰＵ２３は、報知部２６を制御して、電力融通の終了を報知する。例えば、カメラ２のＣＰＵ２３は、報知部２６のインジケータランプを消灯させ、報知部２６の表示モニタに電力融通が終了した旨の表示を行う。
【００４６】
ステップＳ２３０では、リモートモニタ３のＣＰＵ３３は、カメラ２から受信した終了信号に基づいて、電力融通の終了を報知する。例えば、リモートモニタ３のＣＰＵ３３は、報知部３６のインジケータランプを消灯させ、報知部３６の表示モニタに電力融通が終了した旨の表示を行う。
【００４７】
ステップＳ１３１では、カメラ２のＣＰＵ２３は、リモートモニタ３との通信を切断する。ステップＳ２３１では、リモートモニタ３のＣＰＵ３３は、カメラ２との通信を切断する。そして、カメラ２のＣＰＵ２３とリモートモニタ３のＣＰＵ３３は、電力融通に関する処理を終了する。
【００４８】
（第２の実施の形態）
本発明の第２の実施の形態として、カメラ２とリモートモニタ３とが図２（ｂ）に例示された電力の融通方法と、図３（ｂ）に例示された通信方法とを組み合わせて実施する電力制御システムについて説明する。
【００４９】
第２の実施の形態では、カメラ２と電力制御装置４（図２（ｂ）参照）の間における電力の融通方法は、電磁誘導方式の非接触充電である。また、同様にリモートモニタ３と電力制御装置４の間における電力の融通方法は、電磁誘導方式の非接触充電である。また、カメラ２と電力制御装置４の間における通信方法は、近距離無線通信である。また、同様にリモートモニタ３と電力制御装置４の間における通信方法は、近距離無線通信である。また、電力制御装置４は、載置台を有し、カメラ２とリモートモニタ３とが載置されている。
【００５０】
図１１は、電力制御装置４のブロック構成図である。電力制御装置４は、電磁誘導コイル４１ａおよび４１ｂと、通信部４２ａおよび４２ｂと、ＣＰＵ４３と、メモリ４４とを備える。
【００５１】
電磁誘導コイル４１ａは、カメラ２の電磁誘導コイル２１との間で電磁誘導方式による電力伝送を行う。電磁誘導コイル４１ｂは、リモートモニタ３の電磁誘導コイル３１と共に電磁誘導方式による電力伝送を行う。電磁誘導コイル４１ａと電磁誘導コイル４１ｂとは互いに接続されている。カメラ２とリモートモニタ３とは、電磁誘導コイル４１ａおよび４１ｂを介在させて、互いに電力を融通することができる。すなわち、カメラ２は、電磁誘導コイル４１ａおよび４１ｂを介在させて、リモートモニタ３の二次電池３０を充電することができる。また、リモートモニタ３は、電磁誘導コイル４１ａおよび４１ｂを介在させて、カメラ２の二次電池２０を充電することができる。
【００５２】
通信部４２ａは、カメラ２の通信部２４との間で近距離無線通信を行う。通信部４２ｂは、リモートモニタ３の通信部３４との間で近距離無線通信を行う。ＣＰＵ４３は、通信部４２ａおよび４２ｂを制御する。メモリ４４には、ＣＰＵ４３が実行する制御プログラムなどが記憶されている。
【００５３】
図１２は、カメラ２とリモートモニタ３と電力制御装置４との間で電力融通を行うためのハンドシェイク処理に関するフローチャートである。図１２の処理は、カメラ２のＣＰＵ２３とリモートモニタ３のＣＰＵ３３と電力制御装置４のＣＰＵ４４とによって実行される。
【００５４】
ステップＳ３４０では、電力制御装置４のＣＰＵ４３は、通信部４２ａを介して準備信号を受信したか否かを判定している。ＣＰＵ４３は、ステップＳ３４０が否定判定されている間、ステップＳ３４０の判定を繰り返す。
ステップＳ１４０では、カメラ２のＣＰＵ２３は、通信部２４を介して、準備信号を電力制御装置４に向けて送信する。電力制御装置４のＣＰＵ４３は、通信部４２ａを介してこの準備信号を受信して、ステップＳ３４０を肯定判定して、ステップＳ３４１へ処理を進める。
【００５５】
ステップＳ１４１では、カメラ２のＣＰＵ２３は、通信部２４を介して準備信号に対する応答信号を受信したか否かを判定している。ＣＰＵ２３は、ステップＳ１４１が否定判定された場合、ステップＳ１４０に処理を進める。
ステップＳ３４１では、電力制御装置４のＣＰＵ４３は、通信部４２ａを介して応答信号をカメラ２へ送信する。カメラ２のＣＰＵ２３は、通信部２４を介してこの応答信号を受信して、ステップＳ１４１を肯定判定して、ステップＳ１４２へ処理を進める。
【００５６】
ステップＳ２４０では、リモートモニタ３のＣＰＵ３３は、通信部３４を介して準備信号を受信したか否かを判定している。ＣＰＵ３３は、ステップＳ２４０が否定判定されている間、ステップＳ２４０の判定を繰り返す。
ステップＳ３４２では、電力制御装置４のＣＰＵ４３は、通信部４２ｂを介して、準備信号をリモートモニタ３に向けて送信する。リモートモニタ３のＣＰＵ３３は、通信部３４を介してこの準備信号を受信して、ステップＳ２４０を肯定判定して、ステップＳ２４１へ処理を進める。
【００５７】
ステップＳ３４３では、電力制御装置４のＣＰＵ４３は、通信部４２ｂを介して準備信号に対する応答信号を受信したか否かを判定している。ＣＰＵ４３は、ステップＳ３４３が否定判定されている場合、ステップＳ３４２に処理を進める。
ステップＳ２４１では、リモートモニタ３のＣＰＵ３３は、通信部３４を介して応答信号を電力制御装置４へ送信する。電力制御装置４のＣＰＵ４３は、通信部４２ｂを介してこの応答信号を受信して、ステップＳ３４３を肯定判定して、ステップＳ３４４へ処理を進める。
【００５８】
ステップＳ１４２では、カメラ２のＣＰＵ２３は、電力制御装置４との間で近距離無線通信を開始して、図１３のステップＳ１４３に処理を進める。
ステップＳ２４２では、リモートモニタ３のＣＰＵ３３は、電力制御装置４との間で近距離無線通信を開始して、図１３のステップＳ３４５に処理を進める。
ステップＳ３４４では、電力制御装置４のＣＰＵ４３は、カメラ２との間およびリモートモニタ３との間で近距離無線通信を開始して、図１３のステップＳ２４３に処理を進める。
【００５９】
図１３のステップＳ２４３では、リモートモニタ３のＣＰＵ３３は、通信部３４を介して、メモリ３５に記憶されている機器ＩＤを電力制御装置４へ送信する。ステップＳ３４５では、電力制御装置４のＣＰＵ４３は、通信部４２ｂを介して、その機器ＩＤを受信する。リモートモニタ３のＣＰＵ３３は、ステップＳ２４３の処理の後、図１４のステップＳ２５０に処理を進める。
【００６０】
ステップＳ３４６では、電力制御装置４のＣＰＵ４３は、ステップＳ３４６で受信した機器ＩＤを、カメラ２へ送信する。ステップＳ１４３では、カメラ２のＣＰＵ２３は、通信部２４を介して、その機器ＩＤを受信する。その後、電力制御装置４のＣＰＵ４３は、処理を図１４のステップＳ３５０に進める。
【００６１】
ステップＳ１４４では、カメラ２のＣＰＵ２３は、ステップＳ１０４と同様に、ステップＳ１４３で受信した機器ＩＤについて、承認するか否かを判定する。ステップＳ１４４が肯定判定された場合は、図１３の処理をステップＳ１４５に進める。一方、ステップＳ１４４が否定判定された場合は、図１９のステップＳ１７０に処理を進める。
【００６２】
ステップＳ１４５では、カメラ２のＣＰＵ２３は、ステップＳ１５０で受信した機器ＩＤが登録ＩＤデータベース２５１に記憶されているか否かを判定する。ステップＳ１４５が否定判定された場合はステップＳ１４６に進み、ステップＳ１４５が肯定判定された場合は図１４のステップＳ１５０の処理に進む。
ステップＳ１４６では、カメラ２のＣＰＵ２３は、ステップＳ１４３で受信した機器ＩＤを、メモリ２５の登録ＩＤデータベース２５１に記憶（登録）して、図１４のステップＳ１５０の処理に進む。
【００６３】
図１４のステップＳ１５０では、カメラ２のＣＰＵ２３は、カメラ２の二次電池２０の電池残量と電力消費履歴２５２とを取得する。一方、ステップＳ２５０では、リモートモニタ３のＣＰＵ３３は、リモートモニタ３の二次電池３０の電池残量と電力消費履歴３５２とを取得する。
【００６４】
ステップＳ１５１では、カメラ２のＣＰＵ２３は、ステップＳ１５０で取得したカメラ２の二次電池２０の電池残量と電力消費履歴２５２とを、電力制御装置４へ送信する。
ステップＳ３５０では、電力制御装置４のＣＰＵ４３は、ステップＳ１５１でカメラ２が送信したカメラ２の二次電池２０の電池残量と電力消費履歴２５２とを受信する。
【００６５】
ステップＳ２５１では、リモートモニタ３のＣＰＵ３３は、ステップＳ２５０で取得したリモートモニタ３の二次電池３０の電池残量と電力消費履歴３５２とを、電力制御装置４へ送信する。
ステップＳ３５１では、電力制御装置４のＣＰＵ４３は、ステップＳ２５１でリモートモニタ３が送信したリモートモニタ３の二次電池３０の電池残量と電力消費履歴３５２とを受信する。
【００６６】
カメラ２のＣＰＵ２３は、ステップＳ１５１の処理の後、図１６のステップＳ１６０の処理に進む。
リモートモニタ３のＣＰＵ３３は、ステップＳ２５１の処理の後、図１６のステップＳ２６０の処理に進む。
電力制御装置４のＣＰＵ４３は、ステップＳ３５１の処理の後、図１５のステップＳ３５２の処理に進む。
【００６７】
図１５のステップＳ３５２では、電力制御装置４のＣＰＵ４３は、ステップＳ３５０で取得したカメラ２の二次電池２０の電池残量と電力消費履歴２５２とに基づいて、カメラ２の残り駆動時間Ｔ１を算出する。
【００６８】
ステップＳ３５３では、電力制御装置４のＣＰＵ４３は、ステップＳ３５１で取得したリモートモニタ３の二次電池３０の電池残量と電力消費履歴３５２とに基づいて、リモートモニタ３の残り駆動時間Ｔ２を算出する。
【００６９】
ステップＳ３５４では、電力制御装置４のＣＰＵ４３は、ステップＳ３５２で算出した残り駆動時間Ｔ１とステップＳ３５３で算出した残り駆動時間Ｔ２との大小関係に基づいて、カメラ２とリモートモニタ３のどちらからどちらへ電力を融通するかを決定する。すなわち、カメラ２とリモートモニタ３のどちらが相手側の二次電池を充電するかを決定する。例えば、残り駆動時間Ｔ１が残り駆動時間Ｔ２よりも大きい場合（Ｔ１＞Ｔ２）、電力制御装置４のＣＰＵ４３は、カメラ２がリモートモニタ３の二次電池３０を充電することに決定する。一方、残り駆動時間Ｔ１が残り駆動時間Ｔ２よりも小さい場合（Ｔ２＜Ｔ１）、電力制御装置４のＣＰＵ４３は、リモートモニタ３がカメラ２の二次電池２０を充電することに決定する。ステップＳ３５４で決定されるカメラ２とリモートモニタ３との間の充電／被充電の関係に関する情報のことについても、融通方向情報と称する。なお、残り駆動時間Ｔ１と残り駆動時間Ｔ２とが等しい場合、いずれの二次電池の充電も行わないこととする。電力制御装置４のＣＰＵ４３は、融通方向情報を決定した後、その処理を図１６のステップＳ３６０の処理に進める。
【００７０】
図１６のステップＳ３６０では、電力制御装置４のＣＰＵ４３は、ステップＳ３５４で決定した融通方向情報を、カメラ２へ送信する。ステップＳ１６０では、カメラ２のＣＰＵ２３は、ステップＳ３６０で送信された融通方向情報を受信する。
ステップＳ３６１では、電力制御装置４のＣＰＵ４３は、ステップＳ３５４で決定した融通方向情報を、リモートモニタ３へ送信する。電力制御装置４のＣＰＵ４３は、ステップＳ３６１の処理の後、図１７のステップＳ３６２の処理に進む。
ステップＳ２６０では、リモートモニタ３のＣＰＵ３３は、ステップＳ３６１で送信された融通方向情報を受信する。リモートモニタ３のＣＰＵ３３は、ステップＳ２６２の処理の後、図１７のステップＳ２６３の処理に進む。
【００７１】
ステップＳ１６１では、カメラ２のＣＰＵ２３は、融通方向情報に基づいて、電力の融通を開始する。ステップＳ２６１では、リモートモニタ３のＣＰＵ３３は、融通方向情報に基づいて、電力の融通を開始する。
ステップＳ１６２では、カメラ２のＣＰＵ２３は、融通方向情報に基づいて、報知部２６を制御する。一方、ステップＳ２６２では、リモートモニタ３のＣＰＵ３３は、融通方向情報に基づいて、報知部３６を制御する。カメラ２のＣＰＵ２３は、ステップＳ１６２の処理の後、図１７のステップＳ１６３の処理に進む。
【００７２】
図１７のステップＳ１６３では、カメラ２のＣＰＵ２３は、カメラ２の二次電池２０の電池残量と電力消費履歴２５２とを取得する。一方、ステップＳ２６３では、リモートモニタ３のＣＰＵ３３は、リモートモニタ３の二次電池３０の電池残量と電力消費履歴３５２とを取得する。
【００７３】
ステップＳ１６４では、カメラ２のＣＰＵ２３は、ステップＳ１６３で取得したカメラ２の二次電池２０の電池残量と電力消費履歴２５２とを電力制御装置４に向けて送信する。カメラ２のＣＰＵ２３は、ステップＳ１６４の処理の後、図１８のステップＳ１６５の処理に進む。
ステップＳ３６２では、電力制御装置４のＣＰＵ４３は、ステップＳ１６４で送信されたカメラ２の二次電池２０の電池残量と電力消費履歴２５２とを受信する。
【００７４】
ステップＳ２６４では、リモートモニタ３のＣＰＵ３３は、ステップＳ２６３で取得したリモートモニタ３の二次電池３０の電池残量と電力消費履歴３５２とを、電力制御装置４に向けて送信する。リモートモニタ３のＣＰＵ３３は、ステップＳ２６４の処理の後、図１８のステップＳ２６５の処理に進む。
ステップＳ３６３では、電力制御装置４のＣＰＵ４３は、ステップＳ２６４で送信されたリモートモニタ３の二次電池３０の電池残量と電力消費履歴３５２とを受信する。電力制御装置４のＣＰＵ４３は、ステップＳ３６３の処理の後、図１８のステップＳ３６４の処理に進む。
【００７５】
図１８のステップＳ３６４では、電力制御装置４のＣＰＵ４３は、ステップＳ３６２で取得したカメラ２の二次電池２０の電池残量と電力消費履歴２５２とに基づいて、カメラ２の残り駆動時間Ｔ１を算出する。
【００７６】
ステップＳ３６５では、電力制御装置４のＣＰＵ４３は、ステップＳ３６３で取得したリモートモニタ３の二次電池３０の電池残量と電力消費履歴３５２とに基づいて、リモートモニタ３の残り駆動時間Ｔ２を算出する。
【００７７】
ステップＳ３６６では、電力制御装置４のＣＰＵ４３は、ステップＳ３６４で算出したカメラ２の残り駆動時間Ｔ１と、ステップＳ３６５で算出したリモートモニタ３の残り駆動時間Ｔ２とが一致したか否かを判定する。ステップＳ３６６が否定判定された場合は図１７のステップＳ３６２に進み、ステップＳ３６６が肯定判定された場合はステップＳ３６７に進む。
【００７８】
ステップＳ２６５では、リモートモニタ３のＣＰＵ３３は、電力制御装置４から電力融通処理を終了させるための終了信号が送信されたか否かを判定する。リモートモニタ３のＣＰＵ３３は、ステップＳ２６５が否定判定された場合、図１７のステップＳ２６３に処理を進める。
ステップＳ３６７では、電力制御装置４のＣＰＵ４３は、リモートモニタ３に向けて終了信号を送信する。これにより、リモートモニタ３のＣＰＵ３３は、ステップＳ２６５を肯定判定して、処理を図１９のステップＳ２７０に進める。
ステップＳ１６５では、カメラ２のＣＰＵ２３は、電力制御装置４から電力融通処理を終了させるための終了信号が送信されたか否かを判定する。カメラ２のＣＰＵ２３は、ステップＳ１６５が否定判定された場合、図１７のステップＳ１６３に処理を進める。
ステップＳ３６８では、電力制御装置４のＣＰＵ４３は、カメラ２に向けて終了信号を送信する。これにより、カメラ２のＣＰＵ２３は、ステップＳ１６５を肯定判定して、処理を図１９のステップＳ１７０に進める。
電力制御装置４のＣＰＵ４３は、カメラ２とリモートモニタ３の両方に終了信号を送信した後は、処理を図１９のステップＳ３７０に進める。
【００７９】
図１９のステップＳ１７０では、カメラ２のＣＰＵ２３は、電力制御装置４から受信した終了信号に基づいて報知部２６を制御して、電力融通の終了を報知する。例えば、カメラ２のＣＰＵ２３は、報知部２６のインジケータランプを消灯させ、報知部２６の表示モニタに電力融通が終了した旨の表示を行う。
【００８０】
ステップＳ２７０では、リモートモニタ３のＣＰＵ３３は、電力制御装置４から受信した終了信号に基づいて報知部３６を制御して、電力融通の終了を報知する。例えば、リモートモニタ３のＣＰＵ３３は、報知部３６のインジケータランプを消灯させ、報知部３６の表示モニタに電力融通が終了した旨の表示を行う。
【００８１】
ステップＳ１７１では、カメラ２のＣＰＵ２３は、電力制御装置４との通信を切断する。ステップＳ２７１では、リモートモニタ３のＣＰＵ３３は、電力制御装置４との通信を切断する。ステップＳ３７０では、電力制御装置４のＣＰＵ４３は、カメラ２との通信およびリモートモニタ３との通信の両方を切断する。そして、カメラ２のＣＰＵ２３とリモートモニタ３のＣＰＵ３３と電力制御装置４のＣＰＵ４３とは、電力融通に関する処理を終了する。
【００８２】
以上で説明した実施の形態によれば、以下の作用効果が得られる。
本発明の第１の実施の形態によるカメラ２は、二次電池２０を備える電子機器である。
カメラ２のＣＰＵ２３は、二次電池２０の電池残量に関する情報と、カメラ２の消費電力に関する電力消費履歴２５２とをメモリ２５から取得する（図８のステップＳ１１０、図９のステップＳ１２３）。
カメラ２のＣＰＵ２３は、二次電池３０を備えるリモートモニタ３から二次電池３０の電池残量に関する情報とリモートモニタ３の消費電力に関する電力消費履歴３５２とを取得する（図８のステップＳ１１１、図９のステップＳ１２４）。
カメラ２のＣＰＵ２３は、二次電池２０の電池残量と電力消費履歴２５２とに基づいて、カメラ２の残り駆動時間Ｔ１を算出する（図８のステップＳ１１２、図９のステップＳ１２５）。
カメラ２のＣＰＵ２３は、二次電池３０の電池残量と電力消費履歴３５２とに基づいて、リモートモニタ３の残り駆動時間Ｔ２を算出する（図８のステップＳ１１３、図９のステップＳ１２６）。
カメラ２のＣＰＵ２３は、残り駆動時間Ｔ１と残り駆動時間Ｔ２とに基づいて、リモートモニタ３とが一致するように電力の送受電を行う（図８のステップＳ１１４、図９のステップＳ１２７）。カメラ２がこのような構成を有していることにより、第１の実施の形態による電力制御システム１では、組み合わせて利用されるカメラ２とリモートモニタ３との間で、それらの残り駆動時間Ｔ１およびＴ２が適切に調節されるように、電力を融通することができる。
【００８３】
また、本発明の第２の実施の形態による電力制御装置４は、載置台を有し、二次電池２０を備えるカメラ２と、カメラ２と組み合わせて用いられ二次電池３０を備えるリモートモニタ３と、を載置台の上に載置可能である。
電力制御装置４のＣＰＵ４３は、二次電池２０の電池残量に関する情報と、カメラ２の消費電力に関する電力消費履歴２５２とをカメラ２から取得する（図１４のステップＳ３５０、図１７のステップＳ３６２）。
電力制御装置４のＣＰＵ４３は、二次電池３０の電池残量に関する情報とリモートモニタ３の消費電力に関する電力消費履歴３５２とをリモートモニタ３から取得する（図１４のステップＳ３５１、図１７のステップＳ３６３）。
電力制御装置４のＣＰＵ４３は、二次電池２０の電池残量と電力消費履歴２５２とに基づいて、カメラ２の残り駆動時間Ｔ１を算出する（図１５のステップＳ３５２、図１８のステップＳ３６４）。
電力制御装置４のＣＰＵ４３は、二次電池３０の電池残量と電力消費履歴３５２とに基づいて、リモートモニタ３の残り駆動時間Ｔ２を算出する（図１５のステップＳ３５３、図１８のステップＳ３６５）。
電力制御装置４のＣＰＵ４３は、残り駆動時間Ｔ１と残り駆動時間Ｔ２とに基づいて、リモートモニタ３とが一致するように電力の送受電を行う（図１５のステップＳ３５４、図１８のステップＳ３６６）。電力制御装置４がこのような構成を有していることにより、第２の実施の形態による電力制御システムでは、組み合わせて利用されるカメラ２とリモートモニタ３との間で、それらの残り駆動時間Ｔ１およびＴ２が適切に調節されるように、電力を融通することができる。また、電力制御装置４を用いて電力の融通を行うことで、電力の融通が特定の場所でのみ行われることになり、盗電の可能性等が低減し安全性が高まる効果も得られる。
【００８４】
以上で説明した実施の形態は、以下のように変形して実施できる。
（変形例１）第１および第２の実施の形態では、残り駆動時間Ｔ１と残り駆動時間Ｔ２とが一致するように電力の融通を行った。しかし、電力の融通による残り駆動時間Ｔ１と残り駆動時間Ｔ２の目標値は、ユーザが設定できるようにしてもよい。
【００８５】
（変形例２）電子機器３が電子機器２と組み合わせて利用されない電子機器である場合、例えば電子機器２および電子機器３の双方がデジタルカメラである場合も、本発明における電力の融通方法を適用することができる。また、電力制御システムに含まれる電子機器の個数が３個以上である場合も、３個以上の電子機器の間での電力の融通に対して、本発明における電力の融通方法を応用することができる。
【００８６】
（変形例３）登録ＩＤデータベース２５１を用いたリモートモニタ３の機器ＩＤ３５１の承認は、電力制御装置４やサーバ５で実施することにしてもよい。なお、電力制御装置４で実施することにした場合は、登録ＩＤデータベース２５１をメモリ４４に記憶することにすればよい。
【００８７】
図２０は、機器ＩＤ３５１の承認を実施するサーバ５のブロック構成図である。サーバ５は、通信部５１とＣＰＵ５２とメモリ５３とを備える。通信部５１は、電気通信回線６に接続しており、カメラ２およびリモートモニタ３との間の通信に用いられる。ＣＰＵ５２は、サーバ５の各部を制御して、種々の処理を実行することができる。メモリ５３は、不揮発性の記憶媒体である。メモリ５３には、登録ＩＤデータベース２５１が記憶されている。
【００８８】
（変形例４）リモートモニタ３の二次電池３０の電池容量が二次電池２０の電池容量と比べて非常に小さく（たとえば、二次電池２０の電池容量の１０分の１以下）、二次電池２０を充電するだけの電池容量の余裕がない場合は、リモートモニタ３からカメラ２に向けての電力の融通を行わないことにしてもよい。二次電池２０および二次電池３０の電池容量は、図８のステップＳ２１１、図１４のステップＳ１５１、図１４のステップＳ２５１のように電池残量を送信するときに同時にカメラ２や電力制御装置４へ送信することにしてもよい。
【００８９】
（変形例５）図８のステップＳ１１４または図１５のステップＳ３５４の処理において、カメラ２の二次電池２０とリモートモニタ３の二次電池３０の充電回数や劣化度（ＳＯＨ：Ｓｔａｔｅ  ｏｆ  Ｈｅａｌｔｈ）をさらに考慮することにしてもよい。充電回数は、例えば、電源コントローラ２２などを用いて管理することにすればよい。ＣＰＵ２３は、例えば、充電回数が所定回数以上のときは、二次電池２０を用いた電力の融通を行わない判断をすることにしてもよい。所定回数は、例えば数百回〜千回である。また、この所定回数は、残り駆動時間Ｔ１と残り駆動時間Ｔ２との差の絶対値が大きければ大きいほど大きく補正されることにしてもよい。
【００９０】
（変形例６）図８のステップＳ１１４および図１５のステップＳ３５４において、カメラ２のＣＰＵ２３または電力制御装置４のＣＰＵ４３は、電力の融通方向だけでなくて、残り駆動時間Ｔ１の目標値を算出することにしてもよい。たとえば、図８のステップＳ１１２およびステップＳ１１３で算出された残り駆動時間Ｔ１および残り駆動時間Ｔ２との平均値を目標値に算出することにしてもよい。
【００９１】
（変形例７）第２の実施の形態では、残り駆動時間Ｔ１およびＴ２の算出や、電力の融通方向の決定を、電力制御装置４が行ったが、第１の実施の形態と同様にカメラ２が実行することにしてもよい。このようにする場合、電力制御装置４は、図１４のステップＳ３５１などの後、受信したリモートモニタ３の電池容量と電力消費履歴３５２とをカメラ２へ送信することが望ましい。
【００９２】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００９３】
１  電力制御システム
２  カメラ
３  リモートモニタ
４  電力制御装置
５  サーバ
２０，３０  二次電池
【図１】
2014003835.tif 000003
【図２】
2014003835.tif 000004
【図３】
2014003835.tif 000005
【図４】
2014003835.tif 000006
【図５】
2014003835.tif 000007
【図６】
2014003835.tif 000008
【図７】
2014003835.tif 000009
【図８】
2014003835.tif 000010
【図９】
2014003835.tif 000011
【図１０】
2014003835.tif 000012
【図１１】
2014003835.tif 000013
【図１２】
2014003835.tif 000014
【図１３】
2014003835.tif 000015
【図１４】
2014003835.tif 000016
【図１５】
2014003835.tif 000017
【図１６】
2014003835.tif 000018
【図１７】
2014003835.tif 000019
【図１８】
2014003835.tif 000020
【図１９】
2014003835.tif 000021
【図２０】
2014003835.tif 000022